(57)【要約】      （修正有）【課題】ゴルフ練習時に人が立つ立ちエリアとゴルフボールを置く草エリアの両エリアを、左右・前後に傾斜させることができ、限りなく実際のコースで打つ状況を再現できる練習台を提供する。【解決手段】立ちエリア及び草エリアを傾斜させる手段としては、両エリアのヒンジと傾斜用ジャッキ２・３をマイコン操作で伸縮させて行う。そのためジャッキ２・３には角度を測る検出センサーとジャッキの伸縮をマイコン制御する仕組みを付け加える。また、ラフに相当する草は調整しろ０〜６０ｍｍを考慮して毛足７０ｍｍ程度の合成繊維質の人工芝を用い、草エリア全体の表面をゴルフボールより小さめの金網で覆い、人工芝を金網下部で上下させ芝表面を金網上から１０〜６０ｍｍ押し出せるジャッキで調整出きるようにする。草エリア全面に平均して出せる用に補助アクチェターとしてスプリングバックガイドを草エリアの四隅に設ける。【選択図】図３
2007075554.tif 000002
【特許請求の範囲】
【請求項１】
ラフを想定した草エリアとプレーヤー立ちエリアの傾斜角度を調整する仕組みとラフを再現する草の長さを調整する仕組みを請求項１とする。その内容は明細書の０００４による。
【発明の詳細な説明】
【技術分野】
【０００１】本発明は、運動用具のゴルフ練習機器の分野である。
【背景技術】
【０００２】ゴルフ練習機における技術は既に一部実践的なプレー状況を想定した練習機が出現している。その内容は人が立つ立ちエリアとゴルフボールを置く草エリアを一平面とする練習台を０〜２０°程度傾斜させ、一部の実戦コースに見立てた状況を提供している。実際には立つ所とゴルフボールを置く所では凹凸が異なったり、ラフ面の草状態も変化する、しかしこれら状況を再現して練習できるゴルフ練習機は普及していないのが現状である。
【発明の開示】
【発明が解決しようとする課題】
【０００３】ゴルフ練習時に人が立つ立ちエリアとゴルフボールを置く草エリアの両エリアを、左右・前後に傾斜させることができる。左右傾斜については両エリア一体で傾斜できる、また前後傾斜については両エリアの個別及び一体の運転モードが選択できる。且つラフを想定した草エリアの草の長さは手元で調整が行える仕組みとする。この仕組みで限りなく実際のコースで打つ状況を再現できる練習台を提供する。
【課題を解決するための手段】
【０００４】前提条件として本装置は右利きの人がプレーする装置である、左利き用装置ついては機器配置等必要な機能を対象にするなどの処置が行われるものとする、したがってここではその説明を省く。更に説明を容易にするために次のことを決めておく、ゴルフボールを打ち込む方向を左方向、その反対を右方向とする。それに対しプレーヤーの立つ前方を前方向、その反対を後方向とする。
課題は２点ある。課題第１点目の立ちエリア及び草エリアを同時に左右方向へ一体傾斜させる手段としては、図１及び図２で説明すると、両エリアのヒンジと前後傾斜用ジャッキ２・３を左右傾斜軸に装着一体化し左右傾斜軸が傾斜すれば両エリアが一体傾斜するようにする。左右方向傾斜軸の一端を左右方向傾斜固定支点に固定し、他端をジャッキ１で上下することで両エリアごと左右方向に傾斜させることができる。
両エリアの前後傾斜の手段については、図３で説明すると、傾斜用ジャッキ２・３の伸縮度を一体傾斜するようマイコン操作で伸縮させて行う。そのためジャッキ２・３には角度を測る検出センサーとジャッキの伸縮をマイコン制御する仕組みを付け加える。また個別作動についてはジャッキ２・３をそれぞれ任意に伸縮させることで傾斜角が個別設定できる。その前後傾斜状態の一例を図３に示す、ここでは立ちエリア−２０°傾斜、草エリア＋２０°傾斜時の実際のプレー状態をイメージする。
課題２点目の解決手段は図４で説明する、ラフに相当する草は調整しろ０〜６０ｍｍを考慮して毛足７０ｍｍ程度の合成繊維質の人工芝を用いる、草エリア全体の表面をゴルフボールより小さめの金網で覆い、人工芝を金網下部で上下させ芝表面を金網上から１０〜６０ｍｍ押し出せるジャッキで調整出きるようにする。草エリア全面に平均して出せる用に補助アクチェターとしてスプリングバックガイドを草エリアの四隅に設ける。そのことで草面調整ジャッキの装備数を１組と最小化できる。またラフの構造は２５ｃｍ角程度の大きさで下部にはマジックテープが装備され、すり減った部分のみを脱着できる仕組みとする。
操作はスタンド付の操作盤で行う、その操作盤イメージは図５に示す。各操作は操作ボタンを選択操作することで両エリアの左右方向傾斜の一体操作と前後方向傾斜の個別操作と一体操作が可能となる、詳細については実施例３で述べる。
【発明の効果】
【０００５】実際のゴルフコースで遭遇する状態を練習場で手軽に体験練習できることで技術上達が早まり、多数のゴルフプレーヤーのレベルアップが図れることとなる。
【発明を実施するための最良の形態】
【０００６】既存のゴルフ練習場の打席ベースに設置する。
【実施例１】
【０００７】ゴルフ練習台の構成及び形状は図１に示す。
構成はプレーヤーが立つエリヤ部とゴルフボールが置かれる草エリア部及び両エリアの姿勢を制御する操作スタンドで構成される。
形状は図１〜図４に概要を示す。立ちエリヤは平面で１００ｃｍ×７０ｃｍ、草エリヤは１００ｃｍ×９０ｃｍ、基準高さは約７０ｃｍ。操作スタンドは移動式スタンド型で高さは６０〜９０ｃｍ程度とする。
全体構造については製造・運搬・試験・据付のコストを総合的考慮して練習台ベース上に操作スタンドを除く全てを装備し製作工場で組立・性能確認試験を行って現地据付時の組立・試験コスト増を省く構造とする。
【実施例２】
【０００８】ゴルフ練習台の機能について、
機能はプレーヤーの立つエリヤ部とゴルフボールが置かれる草エリア部の角度が、水平基準面に対し前後・左右方向に±約２０度の範囲で任意に変えられる。
その調整は前後方向については各エリア一体の傾斜調整のみとなる。しかし、左右方向については各エリア単独と一体２種類の運転モード何れかを選択できる、単独を選択すれば各エリア任意の角度に調整できる例えば凸凹の状態を造ることが可能となる。一体運転を選択すれば各エリアを一平面に維持した状態でどちらか一方の角度調整のみで同時調整可能となる。
草エリア部のラフ高さ（草面高さ）は０〜６ｃｍの範囲で任意に変化できる。
【実施例３】
【０００９】ゴルフ練習台の利用法については操作スタンドで各エリアの傾斜角度と草エリヤの草長さを調整し、ゴルフボールを置いてプレーを行うことを基本とする。
操作スタンドのイメージは図５に示す。
操作スタンドの概要は電源・運転モード・立ち／草エリア左右傾斜・立ちエリア前後傾斜・草エリア前後傾斜・ラフ高さの各調整スイッチを装備する。その各内容は、電源は電源のオン・オフを選択するスイッチ。運転モードは、立ちエリア／草エリアの前後方向傾斜を個別／一体に運転するかを選択するスイッチで、個別では立ちエリア／草エリアの傾斜を作動範囲内でそれぞれ任意に選択できる、一体運転では立ちエリア／草エリアの両傾斜を一平面に保持する様各傾斜を検知し、一平面状態に自動復帰する機能が付加され、このモードでは立ちエリア／草エリアの傾斜選択スイッチのどちらか一方を選択すれば選択スイッチ側に両エリアを一平面に保持する様自動制御される。立ち／草エリア左右傾斜は、立ちエリア／草エリアの左右傾斜を選択するスイッチと傾斜表示器である、傾斜と表示範囲は±２０°とする。立ちエリア前後傾斜は、立ちエリア前後傾斜を選択するスイッチと傾斜表示器である、傾斜と表示範囲は±２０°とする。草エリア前後傾斜は、草エリア前後傾斜を選択するスイッチと傾斜表示器である、傾斜と表示範囲は±２０°とする。ラフ高さは、ラフの高さを選択するスイッチと高さ表示器である、可変と表示範囲は０〜６ｃｍとする。以上が操作盤の全機能である。
【産業上の利用可能性】
【００１０】ゴルフ練習場での利用が期待できる。
【図面の簡単な説明】
【００１１】
【図１】ゴルフ練習台平面配置（平面図）
【図２】立ちエリアと草エリアを前後傾斜させる仕組み（Ａ−Ａ断面）
【図３】立ちエリアと草エリアを左右傾斜させる仕組みと練習イメージ（Ｂ−Ｂ断面）
【図４】草エリアのラフ高さ（草面高さ）調整の仕組み（Ｃ−Ｃ断面図）
【図５】操作スタンド盤面のイメージ
【図１】
2007075554.tif 000003
【図２】
2007075554.tif 000004
【図３】
2007075554.tif 000005
【図４】
2007075554.tif 000006
【図５】
2007075554.tif 000007